(57)【要約】      （修正有）【課題】締付け装置の締付けボルトの回り止め状態を確実に維持することのできる回り止め装置を提供する。【解決手段】一方の物品に、前記挿通孔６と同軸上にして該挿通孔６を取り囲み、しかも、外側内周壁８´´に、少なくとも、周方向に並ぶ凹凸部９を備えた凹入溝８を設ける。該凹入溝８の底壁８´´´に、前記挿通孔６を介して相対する位置にして、前記凹入溝８に係合する緩み止めキャップ１２の弾性係止部片１２ａが係合する、周方向に長い係止孔１０を設け、また、該係止孔１０の外周縁に前記弾性係止部片１２ａの先端係止部１２ａ´が係止する係止段部１１を設ける。そして、前記緩み止めキャップ１２は、開放端側に前記弾性係止部片１２ａ，１２ａを相対して突設した有底円筒体で成り、周面を前記凹凸部９にかみ合う凹凸状表面１３にし、しかも、奥壁面に前記開放端を通じて前記ボルト３の角形頭部３ａが一致して嵌合する角形凹部１４を備える。【選択図】図３
2010019393.tif 000002
【特許請求の範囲】
【請求項１】
一方の物品に設けた挿通孔に挿通させた締付けボルトの先端を、他方の物品側の螺子穴又はナットに螺合して前記一対の物品を互いに締付けるボルト締付け装置において、前記一方の物品に、前記挿通孔と同軸上にして該挿通孔を取り囲み、しかも、外側内周壁に、少なくとも、周方向に並ぶ凹凸部を備えた凹入溝を設け、該凹入溝の底壁に、前記挿通孔を介して相対する位置にして、前記凹入溝に係合する緩み止めキャップの弾性係止部片が係合する、周方向に長い係止孔を設け、該係止孔の外周縁に前記弾性係止部片の先端係止部が係止する係止段部を設けると共に、前記緩み止めキャップは、開放端側に前記弾性係止部片を相対して突設した有底円筒体で成り、周面を前記凹凸部にかみ合う凹凸状表面にし、しかも、奥壁面に前記開放端を通じて前記ボルトの角形頭部が一致して嵌合する角形凹部を備えた、締付けボルトの回り止め装置。
【発明の詳細な説明】
【技術分野】
【０００１】
本発明は、一方の物品に設けた挿通孔を挿通させた締付けボルトの先端を、他方の物品側の螺子穴又はナットに螺合して前記一対の物品を互いに締付けるボルト締付け装置における前記締付けボルトの回り止め装置に関するものである。
【背景技術】
【０００２】
締付けボルトに組付けた座金の、一端の折り曲げ部片を物品に係止し、他の一端の、他の折り曲げ片を締付けボルトの多角形頭部の一側縁に沿わせて配し、締付けボルト（の頭部）の回動を規制して回り止めとした構造のものがある（例えば、特許文献１）。
【０００３】
【特許文献１】実開昭６１−１４６６１５号公報
【発明の開示】
【発明が解決しようとする課題】
【０００４】
締付けボルトに螺合したナットを操作することによって物品同士を締め付けたり、緩めたりすることはともかく（別論）として、締付けボルトの頭部を操作することによって物品同士を締め付けたり、緩めたりするときにあって、前記従来構造のものは、構成上、締付けボルトに座金を組付けた状態で、かつ、ボルト頭部の操作によって締付け操作を行わなければならないから、座金に規制部片を立設した状態では前記の締付け操作を行うことができない。
【０００５】
従って、前記従来例は、締付け操作後に座金の一部を折り曲げて規制部片を設ける必要があり、その作業が煩雑である。
【０００６】
また、平板状のものを折り曲げて規制部片を形成したものであるから、折り曲げ状態（規制部片の状態）から元の平板状に戻すのは、さして難しいことではないので、単なる悪戯でその操作が行われ、回り止め状態が容易に崩れる、という欠点もある。
【０００７】
本発明は、従来例の斯様な欠点に着目し、回り止め状態を確実に維持することのできる、締付けボルトの回り止め装置を提供することを目的として創案したものである。
【課題を解決するための手段】
【０００８】
一方の物品に設けた挿通孔に挿通させた締付けボルトの先端を、他方の物品側の螺子穴又はナットに螺合して前記一対の物品を互いに締付けるボルト締付け装置において、前記一方の物品に、前記挿通孔と同軸上にして該挿通孔を取り囲み、しかも、外側内周壁に、少なくとも、周方向に並ぶ凹凸部を備えた凹入溝を設け、該凹入溝の底壁に、前記挿通孔を介して相対する位置にして、前記凹入溝に係合する緩み止めキャップの弾性係止部片が係合する、周方向に長い係止孔を設け、該係止孔の外周縁に前記弾性係止部片の先端係止部が係止する係止段部を設けると共に、前記緩み止めキャップは、開放端側に前記弾性係止部片を相対して突設した有底円筒体で成り、周面を前記凹凸部にかみ合う凹凸状表面にし、しかも、奥壁面に前記開放端を通じて前記ボルトの角形頭部が一致して嵌合する角形凹部を備えた構成とする。
【発明の効果】
【０００９】
本発明によれば、一対の物品を締め付けた状態の締付けボルトの角形頭部を套装するようにして緩み止めキャップが組付けられ、該組付け状態は、先端係止部と受止段部の係止関係によって維持される一方、キャップ側の凹凸状表面と物品側の凹凸部のかみ合い関係によってボルト頭部すなわち締付けボルトの回動を確実に規制し、回り止め状態を保持することができる。
【実施例】
【００１０】
図面は本発明に締付けボルトの回り止め装置の一実施例を示し、図１はケーブル支持線引留め具の正面図、図２は図１の左側面図、図３は図２のａ−ａ線拡大断面図、図４は図３のｂ−ｂ線断面図、図５は一方の挟持材の一部拡大正面図、図６は図５の背面図、図７は緩み止めキャップの正面図、図８は図７の平面図、図９は図７の左側面図、図１０は図９のｃ−ｃ線断面図である。
【００１１】
実施例は、引留め具本体１と該本体１の一端に突設して建屋などに設けた受止材(フック)に、先端の掛止リング２ａを掛止する掛止杆２を備えたケーブル支持線引留め具Ａの前記本体１を構成する一対の挟持材１Ａ，１Ａ´を、前記掛止杆２を介して締付けボルト３と締付けナット４で互いに締め付けた状態の、前記締付けボルト３の回り止めに本発明を適用したものである。
【００１２】
なお、引留め具Ａは、前記一対の挟持材１Ａ，１Ａ´を締め付けボルト３と締付けナット４を用いて互いに締付けて、挟持溝５，５に係合した支持線（図示省略）を挟持して支持線を引き留めるものであるが、そのこと自体は本発明の適用とは無関係なので詳細は省略する。
【００１３】
実施例は、要するに一対の挟持材１Ａ，１Ａ´を締め付ける締付けボルト３の回り止めについて本発明を適用したもので、挟持材以外の物品の締付けボルトの回り止めについても本発明を適用できることはいうまでもない。
【００１４】
また、実施例は、一方の挟持材１Ａ（物品）に設けた挿通孔６を挿通させた前記締付けボルト３の先端を、他方の挟持材１Ａ´（物品）側に設けた連通孔６´を通じて、係止穴７に係合させて回動を規制した前記締付けナット４に螺合して挟持材１Ａ，１Ａ´（物品）同士を締め付けるようにしているが、他方の挟持材１Ａ´の係止穴７およびその奥壁７ａに設けた前記連通孔６´に代えて螺子孔を設け、該螺子孔に締付けボルト３の先端を螺合するような構造のものにも本発明は適用でき、要するに、本発明は、締付けボルトそれ自体に外力が負荷されても回動することがないことを期待するものである。
【００１５】
前記一方の挟持材１Ａは、前記挿通孔６と同軸上にして該連通孔６を取り囲む、内周壁面８´と外周壁面８´´および底壁面８´´´とで成る、リング筒状の凹入溝８を備え、該凹入溝８の外周壁面８´´には相対する凹凸部９，９を設け、凹凸部９は、挿通孔６の軸線に沿う突条と条溝を交互に規則的に凹入溝８周方向に並べて構成してある。
【００１６】
また、凹入溝８の底壁面８´´´には、前記挿通孔６を介する相対する位置にして周方向に長い挿入孔１０を設け、該挿入孔１０の外周壁面１０´´を凹入溝８の外周壁面８´´より外周側に配して係止段部１１を設け、挿入孔１０に挿入した緩み止めキャップ１２の弾性係止部片１２ａの鉤状の先端係止部１２ａ´が係止するようにしてある。
【００１７】
挿入孔１０は、挿通孔６の軸線を中心とした円周に沿って配され、締付けボルト３を締め付けたとき、その正六角形の頭部の隅角部（六角形の）のいずれか一つが挿通孔６の軸線方向に常に重なる円周方向に沿う長さを備えている。
【００１８】
緩み止めキャップ１２は、開放端側に弾性係止部片１２ａを相対して突設した、樹脂製の有底筒状体で成り、周面を凹入溝８の外周壁面８´´に設けた前記凹凸部９と同様に軸線に沿う条溝と突条を交互に周方向に並べて構成し、しかも、凹凸部９を同じピッチの凹凸状表面１３と成す一方、奥壁面には締付けボルト３の六角形頭部３ａが一致して嵌合する角形凹部１４を備えたものである。
【００１９】
弾性係止部片１２ａは、キャップ１２に軸線に沿うスリット１５を設けてキャップ１２の中間部から延設したもので、その先端には前記凹入溝８を通じて挿入孔１０内に挿入されて前記段部１１に係止する前記先端係止部１２ａ´を備えたものである。
【００２０】
そして、一対の挟持材１Ａ，１Ａ´を前記掛止杆２を介して（なおかつ、挟持溝５，５に支持線を係合して）一方の挟持材１Ａ´の係止穴７に締付けナット４を係合し、該ナット４に、他方の挟持材１Ａ側からワッシャー（座金）１６を介してボルト３を挿通孔６を通じて螺合、締付けると、支持線の引留め状態すなわち挟持材１Ａ，１Ａ´同士の締付け状態を得られる。この状態でボルト頭部３ａを角形凹部１４に一致させつつ緩み止めキャップ１２の弾性係止部片１２ａを凹入溝８を通じて挿入孔１０に挿入し、先端係止部１２ａ´を段部に係止させると、該係止関係によってキャップ１２の取り外しが阻止される一方、凹凸状表面１３と凹凸部９の係止関係によって緩み止めキャップ１２の回動は規制され、回り止め状態が保たれるのである。
【図面の簡単な説明】
【００２１】
【図１】ケーブル支持線引留め具の正面図。
【図２】図１の左側面図。
【図３】図２のａ−ａ線拡大断面図。
【図４】図３のｂ−ｂ線断面図。
【図５】一方の挟持材の一部拡大正面図。
【図６】図５の背面図。
【図７】緩み止めキャップの正面図。
【図８】図７の平面図。
【図９】図７の左側面図。
【図１０】図９のｃ−ｃ線断面図。
【符号の説明】
【００２２】
３          締付けボルト
３ａ        角形頭部
４          締付けボルト
６          挿通孔
８          凹入溝
８´´      外側内周壁
８´´´    底壁
９          凹凸部
１０        係止孔
１１        係止段部
１２        緩み止めキャップ
１２ａ      弾性係止部片
１２ａ´    先端係止部
１３        凹凸状表面
【図１】
2010019393.tif 000003
【図２】
2010019393.tif 000004
【図３】
2010019393.tif 000005
【図４】
2010019393.tif 000006
【図５】
2010019393.tif 000007
【図６】
2010019393.tif 000008
【図７】
2010019393.tif 000009
【図８】
2010019393.tif 000010
【図９】
2010019393.tif 000011
【図１０】
2010019393.tif 000012